(57)【特許請求の範囲】
【請求項１】
遊技盤の前面に誘導レールが渦巻状に敷設されると共に該誘導レールにより囲まれるようにして遊技部が形成される弾球遊技機であって、
前記遊技盤の上部でありかつ前記誘導レールの外側に該誘導レールを囲うようにしてレール飾りを装着すると共にその後側に配線基板を配置し、前記配線基板の後面の下縁に沿って発光体を列設し、前記配線基板の後側に前記各発光体の光を前記遊技盤面に沿って照射させるレンズ部材を配置固定し、
前記誘導レールには前記レンズ部材が臨む透口部を開設し、
前記遊技部に前記透口部に臨むレンズ部材と対向位置して前記各発光体から発せられる光を受け前方へ反射させる光反射板を配置したことを特徴とする弾球遊技機。
【発明の詳細な説明】
【技術分野】
【０００１】
本発明は、発光体から照射される光を光反射板により反射させ、その光を遊技者が前側から間接的に視認できるようにした弾球遊技機に関するものである。
【背景技術】
【０００２】
一般に、弾球遊技機の一種であるパチンコ遊技機は、例えば、遊技盤の前面にその遊技部を囲うようにして誘導レールである内側のガイドレールと外側のガイドレールとが略渦巻き状に敷設されており、該誘導レールで囲まれる遊技部に可変表示装置、入賞口等の各種盤面部品が装着される。また、前記遊技盤面には、遊技の興趣を高めるべく電飾効果を発揮させるために、前記誘導レールの外周に沿って発光体を備えた複数のレール飾りが設けられている。そして、所謂大当り状態となったときなど、その雰囲気を盛り上げるために音響と共に前記発光体を発光させて電飾効果を発揮するようにしている（例えば、特許文献１参照。）。
【０００３】
【特許文献１】特開平５−２３７２２８号公報（第４頁、図２）
【発明の開示】
【発明が解決しようとする課題】
【０００４】
しかしながら、前記レール飾りは、発光体の光をパチンコ遊技機の前方すなわち遊技者側へ照らしているにすぎず、通常の光の照らし方と何ら変わりがなく、ありきたりであってマンネリ化しており、遊技者には飽きられている。このため、電飾効果を高めるに一工夫必要であるという認識が強い。また、前記レール飾り等の発光体は配線基板からの電気配線を必要とするところ、他の部品と取り付け状態との関係からその配線が困難であるとか面倒であるといった理由により、遊技盤のどこにでも自由に配置できるとは限られない。このため、所望の個所に設置できないなど発光体の配置個所に制約を受け、これも電飾効果引いては遊技の興趣が高められない一原因になっていた。
【０００５】
そこで、本発明は上記課題に鑑みてなされたもので、発光体を間接的に発光させて照らし方に工夫を凝らし、しかも、発光体の配置個所にも制約を受けないようにして斬新な電飾効果が得られ遊技の興趣を高めることができるようにした弾球遊技機を提供することを目的とするものである。
【課題を解決するための手段】
【０００６】
かかる目的を達成するため本発明に係る弾球遊技機は、遊技盤の前面に誘導レールが渦巻状に敷設されると共に該誘導レールにより囲まれるようにして遊技部が形成される弾球遊技機であって、前記遊技盤の上部でありかつ前記誘導レールの外側に該誘導レールを囲うようにしてレール飾りを装着すると共にその後側に配線基板を配置し、前記配線基板の後面の下縁に沿って発光体を列設し、前記配線基板の後側に前記各発光体の光を前記遊技盤面に沿って照射させるレンズ部材を配置固定し、前記誘導レールには前記レンズ部材が臨む透口部を開設し、前記遊技部に前記透口部に臨むレンズ部材と対向位置して前記各発光体から発せられる光を受け前方へ反射させる光反射板を配置したことを特徴とする。
【発明の効果】
【０００７】
本発明に係る弾球遊技機は、遊技盤面に沿って光を照射する発光体と、該発光体から照射される光と対向位置して配置されその光を前記遊技盤の前方へ反射させる光反射板と、を備えてなるので、該光反射板により反射された光を遊技者が間接的に視認できるようになり、斬新であって趣向に富んだ電飾効果が得られる。しかも、発光体からの光を光反射板を介して間接的に視認することになるので、遊技者の目が疲れ難いという効果も有る。また、発光体から照射される光を光反射板により反射させるようにしたので、発光体としての光反射板には電気配線が不要となり、配置個所に制限が加えられることがほとんどなく、遊技盤面における発光体のレイアウトが自在に行なえる。よって、これらにより電飾効果引いては遊技の興趣が高められるという効果を奏する。
【発明を実施するための最良の形態】
【０００８】
以下、本発明に係る弾球遊技機の実施の形態を図面に従って詳しく説明する。弾球遊技機としては、パチンコ遊技機、雀球遊技機、アレパチ機、アレンジボール機があり、本発明はいずれにも適用できるが、この内、パチンコ遊技機について説明する。図１は本発明に係るパチンコ遊技機の前から見た外観斜視図、図２は透明板保持枠および前板を外した状態のパチンコ遊技機の正面図である。パチンコ遊技機Ｐは、縦長長方形状に枠組みされた外枠１の前面に、該外枠１の一側に設けたヒンジ機構２を介して内枠３が開閉自在に軸着され、該内枠３には前側から前面が視認できるようにして遊技盤４が設置される。該内枠３の前面に遊技盤４の前面を覆う透明板保持枠５が開閉自在に装着され、該透明板保持枠５の下方に遊技盤４の下部前面を覆う前板６が同じく開閉自在に装着されている。
【０００９】
前記透明板保持枠５は、中央に透明なガラス板または合成樹脂板により覆われる透窓７が開設され、該透窓７を介して前側から遊技盤４の前面を視認できるようになっている。また、前記前板６の前面には、打球発射位置（図示せず。）に供給される遊技球を貯留するための上部の球受皿８ａが装着され、その下方に位置して該上部の球受皿８ａから溢れる遊技球を貯留する下部の球受皿８ｂが装着される。下部の球受皿８ｂの一側に、前記打球発射位置から発射される遊技球の打球力を調整するための打球力調整ハンドル９が設けられている。
【００１０】
前記遊技盤４の前面に、誘導レールである内側のガイドレール１０ａと外側のガイドレール１０ｂとが略渦巻状に敷設され、該内側・外側のガイドレール１０ａ，１０ｂに囲まれるようにして遊技部４ａが形成される。該遊技部４ａには、その中央に文字、数字等の図柄を変動表示する可変表示器１１を備えた可変表示装置１２が配置され、その下方に遊技球の入賞により該可変表示器１１に表示される図柄を変動させる始動入賞口１３が配置され、更に、その下方に大型の入賞装置１４が配置されている。また、遊技部４ａの下部両側に、内側のガイドレール１０ａの内側に沿って左右一対のランプ飾り１５，１５が装着される。１６は、遊技部４ａに打ち込まれた遊技球であって入賞球になり得なかった遊技球をアウト球として該遊技盤４の外側へ排出するためのアウト球口である。
【００１１】
そこで、遊技部４ａに打ち込まれ遊技盤４面を流下する遊技球が始動入賞口１３に入賞すると、可変表示装置１２の可変表示器１１に表示される図柄が変動を開始し、一定時間経過後に停止する。このとき、停止した図柄が例えば「７７７」といった特定の図柄に揃うと、所謂「大当り」という遊技者に有利な特別遊技状態になる。この状態になると、大型の入賞装置１４の開閉扉１４ａが前方へ回動し、例えば、遊技球が該入賞装置に１０個入賞するまで、または３０秒間の間開く。更に、これを１ラウンドとして一定の条件が継続される限り最大限１６ラウンドまで繰り返され、一度に多くの賞球が得られるようになっている。この間、可変表示装置１２やランプ飾り１５に内装された発光体が発光して電飾効果を発揮する。
【００１２】
次に、遊技盤４であって後記する発光体２０，２０ａや光反射板２５，３３，３７が設けられる各部位につき詳しく説明する。図３、図５に示すように、遊技盤４面の上部であって外側のガイドレール１０ｂの外側に、該外側ガイドレール１０ｂを囲うようにしてレール飾り１７が装着されている。該レール飾り１７は合成樹脂製であって、前側の装飾板部１７ａの上縁がほぼ水平に形成され、下縁が外側ガイドレール１０ｂの外側面に沿った弧状に形成されている。そして、装飾板部１７ａの外周縁には後方へ突出する側板部が設けられている。
【００１３】
また、装飾板部１７ａの後面の所定位置に後端面に螺子孔（図示せず。）を設けた複数の突起１８が後方へ突設され、その後側に配線基板１９が配置される。該配線基板１９はその下縁が装飾板部１７ａの下縁とほぼ合致し弧状に形成されており、該配線基板１９の後面であってその下縁に沿って発光体である複数のＬＥＤ２０が列設されている。これらＬＥＤ２０は、所定の色で発光するようになっている。そして、螺子挿通孔２１を介して前記突起１８の後端面の螺子孔に螺子２２を螺締することにより配線基板１９が取着される。また、配線基板１９の後面に、その下縁に沿ってレンズ部材２３が配置固定される。該レンズ部材２３は、前記各ＬＥＤ２０からの光を遊技盤４面に沿ってそのほぼ中央部に照射させるためのものであり、湾曲した棒材２３ａの一側の所定位置に、前記各ＬＥＤ２０に対応位置しかつ接触するようにして光を屈折させるレンズ部２３ｂが列設されている。
【００１４】
これに対し、外側のガイドレール１０ｂには、その後端縁に沿って前記複数のレンズ部２３ｂ群に対向位置して細長の透口部２４が開設され、前記各レンズ部２３ｂが該透口部２４に臨むようになっている。これによって、前記各ＬＥＤ２０が発光することにより、該各ＬＥＤからの光はレンズ部材２３の各レンズ部２３ｂにより屈折され、外側ガイドレール１０ｂの透口部２４を介し遊技盤４面に沿ってその遊技部４ａのほぼ中心部を照射することになる。
【００１５】
一方、可変表示装置１２の上部であって後記するリブ片２９の内側に、前記複数のレンズ部２３ｂ群と対向位置して各ＬＥＤ２０から発せられる光を受け前方へ反射させる光反射板２５が配置される。すなわち、図２、図４、図５に示すように可変表示装置１２は、遊技盤４の前面に取り付けられる正面略扇形状の取付基板２６を有する。該取付基板２６には、その後側に配置固定される可変表示器１１が臨む略方形状の開口２７が開設され、該開口２７の下部に遊技盤４の前面に沿った方向に上下に湾曲すると共に前側へやや下傾するステージ２８が形成されている。該ステージ２８は、透明な合成樹脂材により形成されている。そこで、遊技部４ａを流下する遊技球であって該ステージ２８の上面に乗った遊技球は左右に転動しながら、その後、再び遊技部４ａに戻って流下する。この際、その下方に始動入賞口１３が位置することから、該始動入賞口１３へ入賞する機会が多くなる。取付基板２６における開口２７の下端縁を除いた外周縁部と該開口２７の下縁部を除いた外周縁部とに、前方へ突出しかつ連続するリブ片２９が周設されている。
【００１６】
前記光反射板２５は、装飾板部１７ａの一側上部であってリブ片２９の内側に配置される。該光反射板２５は、前記各レンズ部２３ｂ群から遊技盤４の前面に沿って照射される光と対向位置し、その光を受けて遊技盤４の前方へ反射させるようにしており、該光の照射される方向に対して傾斜する傾斜板部２５ａと該傾斜板部２５ａと一体に設けられ該傾斜板部２５ａを保持する保持板部２５ｂとからなっている。また、光反射板２５の前側に、断面Ｌ型をなし該光反射板２５をリブ片２９とで囲う透光性のカバー部材３０が被着される。前記リブ片２９における光反射板２５に対応する部位ａ１は、透明部として形成されている。そして、図５に示すように、前記各レンズ部２３ｂから遊技盤４面に沿って発射された光は、光反射板２５の傾斜板部２５ａに当たって反射され、遊技盤４の前方すなわち遊技者側へ照射される。そして、この光を遊技者が視認することになる。
【００１７】
また、図６に示すように可変表示装置１２におけるステージ２８の下側に、一側を取付基板２６に支持されて配線基板３１がほぼ水平に配置され、その上面に発光体としてのＬＥＤ２０が複数個配置される。該各ＬＥＤ２０から照射された光は、ステージ２８を通過してその上方へ照射されるようになっている。
【００１８】
一方、開口２７の上縁に、上下一対の平行なリブ片２９，２９により挟まれるようにして前後面を開放した反射板収納部３２が形成され、該反射板収納部３２内に光反射板３３がその後側から収容される。該光反射板３３も、前記ステージ２８の下側の各ＬＥＤ２０から照射される光を遊技盤４の前方へ反射させるための傾斜板部３３ａと、該傾斜板部３３ａと一体に設けられ該傾斜板部３３ａを保持する保持板部３３ｂとからなっている。また、光反射板３３の前側は、該光反射板３３をリブ片２９とで囲う横長長方形状の光拡散板３５と、その前側に重なるカバー部材３６とで被着される。これら光拡散板３５やカバー部材３６は透光性の材質により形成され、また、前記リブ片２９における光反射板３３の傾斜板部２５ａに対応する部位ａ２は、透明部として形成されている。そして、図６に示すように、前記各ＬＥＤ２０から遊技盤４面に沿って上方へ照射された光は光反射板３３の傾斜板部３３ａに受けられて反射され、光拡散板３５及びカバー部材３６を通過して前方すなわち遊技者側へ照射され、その光を遊技者が視認することになる。
【００１９】
更に、図２、図４、図７に示すように、遊技部４ａの両側に配置されたランプ飾り１５，１５内にそれぞれ複数個のＬＥＤ２０が配置され、可変表示装置１２における取付基板２６の両側に該各ＬＥＤ２０から照射された光を遊技盤４の前方へ反射させる光反射板３７が配置される。なお、これらはいずれもほぼ同じ構成からなるので、図４において向かって右側の構成についてのみ説明し、左側の構成についてはその説明を省略する。
【００２０】
右側のランプ飾り１５は、透光性樹脂により成形され後面が開放する飾り本体３８を有し、該飾り本体３８の外周縁に遊技盤４面に取り付けられる取付板３９が設けられる。そして、該飾り本体３８内には配線基板４０が起立し前方を向くようにして配置固定され、該配線基板４０の前面に複数のＬＥＤ２０が配設されている。また、該配線基板４０の前面に反射板４１が取着され、該反射板４１により上端部に位置するＬＥＤ２０ａとそれよりも下側に位置するＬＥＤ２０とを仕切るようにしている。反射板４１の反射面は該反射板４１により仕切られた上端部のＬＥＤ２０ａの前側を覆うように配置され、該ＬＥＤ２０ａから遊技盤４の前方へ照射された光を遊技盤４面に沿って上方へ反射させるようにしている。
【００２１】
一方、可変表示装置１２における取付基板２６の下縁部に、リブ片２９の内側すなわちその上面に位置して前記光反射板３７が配置される。該光反射板３７は、前記反射板４１と対向位置して該反射板４１により反射された各ＬＥＤ２０ａの光を更に反射させて遊技盤４の前方へ照射するようにしている。該光反射板３７も、傾斜板部３７ａと該傾斜板部３７ａと一体に設けられ該傾斜板部３７ａを保持する保持板部３７ｂとからなっている。該光反射板３７はリブ片２９の上面に乗った状態で断面逆Ｌ字型のカバー部材４２が被着され、光反射板３７がリブ片２９とカバー部材４２とにより囲われることになる。該カバー部材４２は、透光性の合成樹脂材により形成されている。また、前記飾り本体３８の反射板４１に対応する部位ａ３やリブ片２９であって光反射板３７に対応する部位ａ４は、それぞれ透明部として形成されている。
【００２２】
そして、図７に示すように、ランプ飾り１５の複数のＬＥＤ２０の内、反射板４１により仕切られその下方に位置するＬＥＤ２０は、その光がそのまま遊技盤４の前方へ照射される。これに対し、前記反射板４１により仕切られその上方に位置するＬＥＤ２０ａにあっては、これらＬＥＤ２０ａから照射された光がまず反射板４１により上方へ反射され、次に、光反射板３７の傾斜板部３７ａにより反射され遊技盤４の前方へ照射される。そして、その光を遊技者が視認することになる。
【００２３】
本発明にあっては、例えば、可変表示器１１に表示される図柄が、特定の図柄（例えば、「７７７」）に揃ったとき、遊技者に有利な大当り状態となり、一度に多くの賞球が得られることになる。そして、その間、遊技の興趣を高めるべく前記発光体２０，２０ａが発光し、それら光が光反射板２５，３３，３７により反射されて遊技盤４の前方へ照射され、遊技者は、それら光を間接的に視認することになる。また、この際、カバー部材３０，３６，４２を所望の色に着色しておけば、全体的によりカラフルに発光して電飾効果が上がる。
【００２４】
このように、本発明は、光を遊技盤４面に沿って照射するＬＥＤ２０，２０ａと、該ＬＥＤ２０，２０ａから照射される光と対向位置して配置されその光を前記遊技盤４の前方へ反射させる光反射板２５，３３，３７と、を適宜間隔離して配置してなるので、該光反射板２５，３３，３７により反射された光を遊技者が視認できるようになり、通常とは異なった斬新な電飾効果が得られる。しかも、遊技者はＬＥＤ２０，２０ａからの光を光反射板２５，３３，３７を介して間接的に視認するので、目が疲れ難いという効果も有る。
【００２５】
また、ＬＥＤ２０，２０ａから発せられる光を光反射板２５，３３，３７により反射させるようにしたので、光反射板２５，３３，３７には電気配線が不要であって、その設置個所に制限が加えられることがほとんどない。しかも、遊技盤４面におけるＬＥＤ２０，２０ａの設置個所が自由に選択でき、そのレイアウトが自在に行なえる。
【００２６】
本実施の形態におけるＬＥＤ２０，２０ａの配置位置や光反射板２５，３３，３７の配置位置は、一例にすぎず、他に自由なレイアウトを設計しても良い。また、発光体としてＬＥＤを説明したが、これに限られるものではなく、例えば豆電球であっても良いことは勿論である。
【図面の簡単な説明】
【００２７】
【図１】本発明に係るパチンコ遊技機の前から見た外観斜視図。
【図２】透明板保持枠および前板を外した状態のパチンコ遊技機の正面図。
【図３】レール飾りの分解斜視図。
【図４】可変表示装置及びランプ飾りを分解して示す遊技盤の斜視図。
【図５】図２のＸ−Ｘ線断面図。
【図６】図２のＹ−Ｙ線断面図。
【図７】図２のＺ−Ｚ線断面図。
【符号の説明】
【００２８】
４              遊技盤
４ａ            遊技部
１０ａ          誘導レール（内側ガイドレール）
１０ｂ          誘導レール（外側ガイドレール）
１７            レール飾り
１９            配線基板
２０            発光体（ＬＥＤ）
２０ａ          発光体（ＬＥＤ）
２３            レンズ部材
２４            透口部
２５            光反射板
３３            光反射板
３７            光反射板
Ｐ              弾球遊技機（パチンコ遊技機）
【図１】
0004729597.tif 000002
【図２】
0004729597.tif 000003
【図３】
0004729597.tif 000004
【図４】
0004729597.tif 000005
【図５】
0004729597.tif 000006
【図６】
0004729597.tif 000007
【図７】
0004729597.tif 000008